(57)【特許請求の範囲】
【請求項１】
眼鏡装用者の眼鏡製造に必要な顔面形状の計測を行なう顔面計測器であって、
眼鏡装用者の額の前方に水平に配されるフロントバーと、フロントバーの中央部に配されたブリッジ相当部と、ブリッジ相当部の下方に配されたパッド調節機構部と、パッド調節機構部の左右でフロントバーの下側にレンズ眼前配置情報表示部として配された透明プレートと、フロントバーの両端に配されたテンプルとを備え、
前記パッド調節機構部は、パッドボックスの高さ調節機構及び高さ表示部を有し、
前記フロントバーは、フロントバーの長さ調節機構及びフロント幅表示部を有し、
前記テンプルとフロントバーの連結部には、テンプルの傾斜機構及び傾斜角表示部が設けられ、
前記パッドボックス高さ調節機構は、高さ調整ネジを回転することによりフロントバーに対してパッドを支持している部分を上下方向に調節可能にする機構であり、
前記フロントバー長さ調節機構は、フロントバーの左右両端の各スライド軸を伸縮することによりフロントバーの長さを調整可能とする機構であり、
前記テンプル傾斜機構は、前記スライド軸に対して固定されたヨロイ本体と、このヨロイ本体に対して上下方向回動自在に連結された傾斜ボックスと、この傾斜ボックスの傾きを最小角状態に付勢するバネと、前記ヨロイ本体に螺合された傾き角調整ネジとを備え、前記傾き角調節ネジを回転することにより前記傾斜ボックスの傾き角を調節可能とする機構であることを特徴とする顔面計測器。
注）（「前記テンプルは、前記傾斜ボックスに対して固定されている」は、あえて規定する必要性もないと思われましたので、削除しました。）
【請求項２】
前記パッド調節機構部が更にパッド開き角調節機構及びパッド開き角表示部を有し、
前記パッド開き角調節機構及び前記パッド開き角表示部は、パッドボックスを水平面内で回転可能に保持する部材の前端に円弧状の目盛を有すると共に、前記パッドボックスに前方に延びる棒が設けられ、その前端に前記目盛に対応する指針が設けられていることを特徴とする請求項１記載の顔面計測器。
【請求項３】
前記フロントバー長さ調節機構は、前記フロントバーの長さを最短状態にするように前記スライド軸がバネにより付勢されていることを特徴とする請求項１又は２記載の顔面計測器。
【請求項４】
前記テンプル長さ調節機構は、テンプル長さを最短状態に付勢するバネを持つことを特徴とする請求項１〜３のいずれかに記載の顔面計測器。
【請求項５】
前記パッド調節機構部が更にパッドボックスの間隔調節機構及び間隔表示部を有し、前記パッドボックス間隔調節機構は、それぞれパッドを支持し且つ左右方向にスライド可能な左右一対のスライド板と、各スライド板にスライド方向に沿って形成されると共に、互いに対向配置されたラックと、両ラック間に該両ラックに噛み合わせた状態で配設され、且つ回転操作されることで前記両スライド板を反対方向にスライドさせて両スライド板の間隔を調節するギヤとからなることを特徴とする請求項１〜４のいずれかに記載の顔面計測器。
【発明の詳細な説明】
【０００１】
【発明の属する技術分野】
本発明は、眼鏡装用者の眼鏡製造に必要な顔面形状の計測を行う顔面計測器に関する。
【０００２】
【従来の技術】
一般的な眼鏡加工は、視カ測定→フレーム選定・レンズ選定→基本フィッティング→瞳孔中心の位置測定→レンズレイアウト→レンズ加工→レンズの枠入れ、という手順で行われる。基本フィッティングは、眼鏡使用目的に応じてレンズの光学機能を十分に発揮させるために行われるもので、この基本フィッティングにおいて、顔面に対するレンズ前傾角の設定、レンズ後面頂点と角膜頂点の距離の設定、及び、それを保持するための装用者の頭部形状に合わせたパッド部、テンプル部の調整が行われる。そして、この基本フィッティングを行ったフレームに対して、瞳孔中心の位置測定及びフレームに対するレンズのレイアウトを行い、レンズレイアウト後、レンズカット及び枠入れを行い、最終的な眼鏡として仕上げる。
【０００３】
上記のように、一般的な眼鏡加工では、レンズレイアウトを決定する基本フィッティングにおいて、実際のレンズが枠入れされておらず、デモレンズ、あるいはフレームフロント枠に対して調整等が行われ、実際のレンズとの差異は、取り付け者の経験や技術によって補正されている。
【０００４】
この取り付け者の機械的調整工程を排除する目的で、従来、眼鏡装用者の顔面の立体写真を撮り、この立休写真を用いて眼鏡装用者個々の測定データにより、それぞれの頭部形状に合致したフレームを製作する方法が考案されている。あるいは、目、耳、鼻等の配置を含めた頭部形状の各部位の計測、あるいは各部位の相対位置の計測を行い、測定データをそれぞれの頭部形状に合致したフレーム製造情報とする考案がなされている（実開平５−９４７０４号公報、実公平２−６４２４号公報等）。
【０００５】
【発明が解決しようとする課題】
しかし、立体写真を用いた人体頭部計測装置は、格子照射型もしくは格子投影型のモアレ写真装置、カメラ、及び画像分析用コンピュータにより構成されるため、複雑で高価となる欠点がある。また、従来の頭部形状計測器は、測定項目が多く、構成が複雑であり、実用性に難点があった。
【０００６】
本発明は、上記事情を考慮し、簡単な構成で、容易に設定や計測を行うことのできる顔面計測器を提供することを目的とする。
【０００７】
【課題を解決するための手段】
上述の課題を解決するための手段として、第１の手段は、
眼鏡装用者の眼鏡製造に必要な顔面形状の計測を行なう顔面計測器であって、
眼鏡装用者の額の前方に水平に配されるフロントバーと、フロントバーの中央部に配されたブリッジ相当部と、ブリッジ相当部の下方に配されたパッド調節機構部と、パッド調節機構部の左右でフロントバーの下側にレンズ眼前配置情報表示部として配された透明プレートと、フロントバーの両端に配されたテンプルとを備え、
前記パッド調節機構部は、パッドボックスの高さ調節機構及び高さ表示部を有し、
前記フロントバーは、フロントバーの長さ調節機構及びフロント幅表示部を有し、
前記テンプルとフロントバーの連結部には、テンプルの傾斜機構及び傾斜角表示部が設けられ、
前記パッドボックス高さ調節機構は、高さ調整ネジを回転することによりフロントバーに対してパッドを支持している部分を上下方向に調節可能にする機構であり、
前記フロントバー長さ調節機構は、フロントバーの左右両端の各スライド軸を伸縮することによりフロントバーの長さを調整可能とする機構であり、
前記テンプル傾斜機構は、前記スライド軸に対して固定されたヨロイ本体と、このヨロイ本体に対して上下方向回動自在に連結された傾斜ボックスと、この傾斜ボックスの傾きを最小角状態に付勢するバネと、前記ヨロイ本体に螺合された傾き角調整ネジとを備え、前記傾き角調節ネジを回転することにより前記傾斜ボックスの傾き角を調節可能とする機構であることを特徴とする顔面計測器である。
【０００８】
第２の手段は、
前記パッド調節機構部が更にパッド開き角調節機構及びパッド開き角表示部を有し、
前記パッド開き角調節機構及び前記パッド開き角表示部は、パッドボックスを水平面内で回転可能に保持する部材の前端に円弧状の目盛を有すると共に、前記パッドボックスに前方に延びる棒が設けられ、その前端に前記目盛に対応する指針が設けられていることを特徴とする第１の手段にかかる顔面計測器である。
【０００９】
第３の手段は、
前記フロントバー長さ調節機構は、前記フロントバーの長さを最短状態にするように前記スライド軸がバネにより付勢されていることを特徴とする第１又は第２の手段にかかる顔面計測器である。
【００１０】
第４の手段は、
前記テンプル長さ調節機構は、テンプル長さを最短状態に付勢するバネを持つことを特徴とする第１〜第３のいずれかの手段にかかる顔面計測器である。
【００１１】
第５の手段は、
前記パッドは調節機構部が更にパッドボックスの間隔調節機構及び間隔表示部を有し、前記パッドボックス間隔調節機構は、それぞれパッドを支持し且つ左右方向にスライド可能な左右一対のスライド板と、各スライド板にスライド方向に沿って形成されると共に、互いに対向配置されたラックと、両ラック間に該両ラックに噛み合わせた状態で配設され、且つ回転操作されることで前記両スライド板を反対方向にスライドさせて両スライド板の間隔を調節するギヤとからなることを特徴とする第１〜第４のいずれかの手段にかかる顔面計測器である。
【００１８】
【発明の実施の形態】
以下、本発明の実施形態を図面に基づいて説明する。
図１は実施形態の顔面計測器の全体を正面側から見た斜視図であり、図２〜図１０は各部の詳細な構成を示す図である。
【００１９】
この顔面計測器は、眼鏡装用者の眼鏡製造に必要な顔面形状の計測を行うもので、図１に示すように、眼鏡装用者の額の前方に水平に配されるフロントバー１と、フロントバー１の中央部に配されたブリッジ相当部５と、ブリッジ相当部５の下方に配されたパッド１４の調節機構部（後述）と、パッド調節機構部の左右でフロントバー１の下側に配されたレンズ相当の縦長の透明プレート２と、フロントバー２の両端に配されたテンプル（ここでは主としてテンプル軸３２）とを備える。
【００２０】
透明プレート（別名＝アイポイントプレート）は、レンズの眼前配置情報を表示するレンズ眼前配置情報表示部（Ａ）としての機能を果たすもので、レンズ玉型データムラインに相当する水平基準線３〔実際はこれがレンズ眼前配置情報表示部（Ａ）に相当〕と、これに平行な複数の目盛線３ａとを有する。この透明プレート２の裏面（顔面側）は、顔面形状の計測のための深さ方向の基準とされている。
【００２１】
ここでは便宜上、水平基準線３をＸ軸（左右方向）、計測器の垂直中心線をＹ軸（高さ方向）、Ｘ−Ｙ平面に直交する方向をＺ軸（深さ方向）とおく。
【００２２】
フロントバー１は、フロントバー本体（全体と同符号１で示す）の左右両端にスライド軸（フロントバー長さ調整機構に相当）２１を挿入したもので、各スライド軸２１を伸縮することで、全体の長さを調整できるようになっている。フロントバー本体１には、調整した位置でスライド軸２１を固定する止めネジ２２が設けられている。左右のスライド軸２１の前面には目盛板２３が設けられ、目盛板２３上のフロントバー本体１の端縁の位置を読み取ることで、顔面幅に相当するＸ軸方向のフロント幅情報を得ることができる。従って、ここではスライド軸２１上に設けた目盛板２３がフロント幅表示部（Ｂ）に相当する。なお、これらのスライド軸２１は、内蔵したバネにより、一番縮んだ状態となるように付勢されている。つまり、フロントバー１は、全長が最短状態となるようにバネで付勢されている。このバネ部分の構造は、テンプルの長さ調節機構と同じであるから後述する。
【００２３】
スライド軸２１の端部にはヨロイ柱２５が下向きに連結されており、このヨロイ柱２５にヨロイ本体２６が固定され、ヨロイ本体２６にテンプルスライド管３０が上下方向傾き調節可能に連結され、テンプルスライド管３０にテンプル軸３２がスライド自在に挿入され、テンプル軸３２の後端にモダン部３４が設けられている。
【００２４】
この部分の構造を図２、図３を用いて詳しく説明する。
図２に示すように、ヨロイ柱２５の下端にヨロイ本体２６が固定され、ヨロイ本体２６の下部側板を挟むように、テンプルスライド管３０に一体化されたコ字形の傾斜ボックス３５が嵌められ、このコ字形の傾斜ボックス３５の先端を貫通するピン３６により、テンプルスライド管３０がヨロイ本体２６に上下方向回動自在に連結されている。前記ピン３６にはバネ３７が取り付けられ、このバネ３７によって傾斜ボックス３５は傾きゼロの位置、つまりヨロイ本体２６の上板部に突き当たって止まる位置に付勢されている。
【００２５】
ヨロイ本体２６の上板部には傾き角調整ネジ２７が螺合されており、この傾き角調整ネジ２７の先端で、傾斜ボックス３５の上端をバネ３７に抗して押し下げることにより、テンプルスライド管３０及びそれに通されたテンプル軸３２の傾き角（Ｘ−Ｙ平面に対するテンプル傾斜角）を精度よく調整できるようになっている。また、ヨロイ本体２６には、傾斜角目盛板２８が設けられ、この目盛板２８上の傾斜ボックス３５の上端縁の位置を読み取ることで、テンプル傾斜角情報を得ることができる。従って、ここではこの目盛板２８が傾斜角表示部（Ｇ）に相当する。また、ピン３６、傾斜角調整ネジ２７、バネ３７がテンプルの傾斜機構を構成している。なお、２９で示すものは、傾斜ボックス３５の傾き限を定めるストッパである。
【００２６】
図３に示すように、前記テンプルスライド管３０にはスライド自在にテンプル軸（テンプル長さ調節機構に相当する）３２が通されており、このテンプル軸３２を後ろ側に引き延ばしたり縮めたりすることで、テンプルの長さを調整できるようになっている。テンプルスライド管３０の上面には、調整した位置でテンプル軸３２を固定する止めネジ３１と、テンプル軸３２のスライドできる範囲を決めるストッパ４１が設けられている。このストッパ４１は、テンプル軸３２の上面に形成された長溝３２ｂに嵌まることで、スライド可能な範囲を定める。
【００２７】
また、テンプル軸３２の外側面には目盛板３３が設けられ、この目盛板３３上のテンプルスライド管３２の後端縁の位置を読み取ることで、テンプル長さの情報を得ることができる。従って、ここではテンプル軸３２上に設けた目盛板３３がテンプル長表示部（Ｈ）に相当する。このテンプル軸３２は、テンプル軸３２の側面溝３２ａに内蔵したバネ４２により、一番テンプル長さが縮んだ状態となるように前方向に付勢されている。つまり、モダン部３４を有したテンプル軸３２及びテンプルスライド管３０よりなるテンプルは、全長が最短状態となるようにバネ４２で付勢されている。そのために、バネ４２は一端がピン４２でテンプル軸３２に固定され、他端がピン４３でテンプルスライド管３０に固定されている。また、目盛板３３が浅溝３２ｃに貼り付けられることで、スライド時に露出する範囲でバネ４２が外から見えないように覆い隠している。
【００２８】
次にブリッジ相当部５の構成及びパッド調整機構について説明する。
図１に示すように、フロントバー１の中央部にはフロントホルダ６が固定されている。フロントホルダ６の前面板６ａには、逆Ｕ字形の切欠の側方に位置させて、高さ方向の目盛７が設けられている。フロントホルダ６の内側にはスライドボックス１０が高さ位置調整可能に配設されており、目盛７は、このスライドボックス１０の高さ方向の位置を読み取るためのものである。スライドボックス１０は、後述するようにパッド１４を支持しているので、スライドボックス１０の高さ位置を読み取ることで、パッドボックス（パッド１４を取り付けている箱）の高さ情報を得ることができる。従って、前記目盛７は、パッドボックスの高さを表示するパッドボックス高さ表示部（Ｃ）に相当する。
【００２９】
スライドボックス１０の高さを調整する機構を図４に示す。
スライドボックス１０の上端には、フロントホルダ６の上面板の孔６ｂを貫通する２本のガイドロッド５２が突設されており、これらガイドロッド５２がフロントホルダ６の孔６ｂを摺動することで、スライドボックス１０は一定の姿勢で上下に動くことができるようになっている。ガイドロッド５２の上端には平板５１が固定されており、この中心にネジ孔５１ａが形成されている。フロントホルダ６の上面板には、高さ調整ネジ１１のネジ軸１１ａの先端１１ｂが、回転自由かつ軸方向移動不可能に連結されており、このネジ軸１１ａの中間が前記平板５１のネジ孔５１ａに螺合されている。これにより、高さ調整ネジ１１を回すことで、スライドボックス１０の位置を上下方向に調節できるようになっている。従って、ここでは高さ調整ネジ１１を中心とした機構が、パッドボックスの高さ調整機構に相当する。
【００３０】
次にパッドボックスの間隔を調整する機構について述べる。
図１に示すように、前記スライドボックス１０には、左右一対のスライドアーム１２、１２が設けられている。各スライドアーム１２、１２には、図５に示すように、それぞれ左右方向に延びるスライド板６１、６２が設けられており、これらスライド板６１、６２が、前記スライドボックス１０内に左右方向スライド可能に収容されることで、左右のスライドアーム１２、１２がスライドボックス１０に取り付けられている。各スライド板６１、６２には、ラック６１ａ、６１ｂがスライド方向に沿って形成されている。これらラック６１ａ、６１ｂは、上下に対向配置されており、両ラック６１ａ、６１ｂ間に、該両ラック６１ａ、６１ｂに噛み合わせた状態でギヤ６３が配されている。
【００３１】
このギヤ６３は、図１に示すように、パッドボックス間隔調整用のつまみ１３に連結されており、スライドボックス１０の壁面に回転可能に保持されている。これにより、つまみ１３を回転操作することで、両スライドアーム１２、１２を反対方向にスライドさせて、両スライドアーム１２、１２の間隔を調節することができるようになっている。つまみ１３には指針１３ａが設けられ、スライドボックス１０の外面に設けた回転方向の目盛８と指針１３ａの関係から、スライドアーム１２、１２の調節間隔を知ることができるようになっている。従って、目盛８がパッドボックス間隔表示部（Ｄ）に相当する。
【００３２】
次にパッドボックスの開き角調整機構について、図６、図７、図８を参照して説明する。
前記スライドアーム１２の下端には、パッドボックスの深さ調節機構（後述）を介して、図８に示すように、中央に垂直壁７８を突設した水平板７１が連結されている。水平板７１の前端には円弧状のパッド開き角目盛板１７が設けられ、後端下面にはパッドボックス７４が、水平面内で楽に回転できるようにベアリング軸７３により取り付けられている。そして、パッドボックス７４にパッド１４が、ピン７６によって上下方向回動自在に取り付けられている。この場合、パッド１４は湾曲バネ７７により上向きに付勢されている。
【００３３】
パッドボックス７４には、前方に延びる棒７２が設けられており、その前端に円弧状の目盛板１７に対応した指針１８が取り付けられている。この指針１８の先端１８ａは、図７に示すように、目盛板１７に設けたスライド溝１７ａに挿入されており、スライド溝１７ａの範囲で動けるようになっている。また、指針１８は目盛板１７上を擦りながら移動するようになっており、パッドボックス７４があまりに軽く回動し過ぎないように、摩擦による制動力をかけている。目盛板１７の前面には、指針１８の位置を簡単に見分けられるように、３段階に色分けした目盛１７ｂが設けられている。これにより、パッド１４の開き角を調節すると、その調節位置の情報を、指針１８と目盛１７ｂによって知ることができるようになっている。従って、ここでは主として目盛板１７がパッド開き角表示部（Ｆ）に相当する。
【００３４】
次にパッドボックス深さ調整機構について、図９、図１０を参照しながら説明する。前述したスライドアーム１２の下端には、前から見て四角いボス部８２が設けられている。このボス部８２には角孔８３が設けられ、この角孔８３に前後方向スライド可能に角棒８１が差し込まれている。ボス部８２を貫通した角棒８１の前端には深さ調節つまみ１５が設けられ、角棒８１の後端には、前記パッド１４を支持する水平板７１の垂直壁７８が固定されている。従って、つまみ１５を押し引きすることで、水平板１５の下方に支持されたパッドボックス７４を、深さ方向（図１のＺ軸方向）に調節することができる。
【００３５】
この場合、前記垂直壁７８の側面には、板バネ８５の基端がネジ８６で固定され、板バネ８５の先端が前記ボス部８２の側面に、自身の弾性力で押し当てられている。そして、板バネ８５の先端内面に設けた凸部８７が、ボス部８２の側面に設けた凹部８８に嵌まることで、ボス部８２と垂直壁７８の位置を、クリック感を持って決めることができるようになっている。ここでは、凹部８８を深さ方向に二段に設けているので、パッドボックス７４の深さを二段階に設定できる。従って、つまみ１５の突出量、あるいはつまみ１５とボス部８２の間隔を見ることによって、パッドボックス７４の深さ方向の位置情報を知ることができ、その部分が深さ表示部（Ｅ）に相当する。
【００３６】
なお、以上のパッドボックスの間隔表示部（Ｄ）と、高さ表示部（Ｃ）と、深さ表示部（Ｅ）とでパッド位置情報表示部が構成され、フロント幅表示部（Ｂ）と、テンプル傾斜角表示部（Ｇ）と、テンプル長表示部（Ｈ）とでベンディング位置情報表示部が構成されている。
【００３７】
次に使用方法について説明する。
この顔面計測器を使用する場合は、フロント幅、テンプル長、テンプル角、並びにパッドボックス間隔、高さ、深さ、パッド開き角等を適当に調節しながら、通常の眼鏡と同様に装用者の顔面にかける。そして、透明プレート２の水平基準線３、あるいは目盛線３ａと瞳孔の位置との関係で、調節範囲を推定した上で、さらに前記の項目を調節しながら、水平基準線３が眼鏡装用者の瞳孔の高さに合致するように設定する。そして、水平基準線３を基準にしてすべての調整を終了した時点で、各表示部の表示値を読み取り、これらの値を眼鏡加工のための情報とする。
【００３８】
【発明の効果】
以上説明したように、本発明によれば、眼鏡フレームに即した顔面形状要素を微調整しながら測定できるので、高い精度の情報を得ることができる。また、必要最小限の要素を測定するので、構成を簡単にすることができ、高度な技術を要さずに測定でき、経験の浅い者でも、測定値にばらつきが生じにくい。また、各調節可能部分を小さい側に付勢した場合は、調整も簡単にできるし、取り扱いしやすくなる。
【図面の簡単な説明】
【図１】本発明の実施形態の顔面計測器の正面側から見た斜視図である。
【図２】図１のＩＩ部の構成図で、（ａ）は横から見た図、（ｂ）は上から見た図である。
【図３】（ａ）は図２（ｂ）のＩＩＩａ−ＩＩＩａ矢視図、（ｂ）は（ａ）のＩＩＩｂ−ＩＩＩｂ矢視図である。
【図４】図１のＩＶ−ＩＶ矢視図である。
【図５】前記顔面計測器の中央にあるスライドボックス１０の内部機構の説明図で、（ａ）は正面図、（ｂ）は平面図、（ｃ）は側面図である。
【図６】前記顔面計測器のパッド開き角表示部の構成図で、（ａ）は平面図、（ｂ）は正面図である。
【図７】パッド開き角が変化したときの状態を示す図６と同様の図であり、（ａ）は平面図、（ｂ）は正面図である。
【図８】図６のＶＩＩＩ−ＶＩＩＩ矢視図である。
【図９】図１のＩＸ矢印方向から見た側面図である。
【図１０】図９のＸ−Ｘ矢視断面図である。
【符号の説明】
1 フロントバー
２  透明プレート
３  水平基準線（Ａ：レンズ眼前配置情報表示部）
３ａ  目盛線
５  ブリッジ相当部
７  パッドボックス高さ目盛（Ｃ：パッドボックス高さ表示部）
８  パッドボックス間隔目盛（Ｄ：パッドボックス間隔表示部）
１０  スライドボックス
１１  高さ調整ネジ
１２  スライドアーム
１３  間隔調整つまみ
１４  パッド
１５  深さ調整つまみ（Ｅ：パッドボックス深さ表示部）
１７  目盛板（Ｆ：パッド開き角表示部）
２３  目盛（Ｂ：フロント幅表示部）
２８  傾斜角目盛（Ｇ：テンプル傾斜角表示部）
３３  目盛（Ｈ：テンプル長表示部）
３７、４２  バネ
６１、６２  スライド板
６１ａ，６１ｂ  ラック
６３  ギヤ
７４  パッドボックス
【図１】
0003897200.tif 000002
【図２】
0003897200.tif 000003
【図３】
0003897200.tif 000004
【図４】
0003897200.tif 000005
【図５】
0003897200.tif 000006
【図６】
0003897200.tif 000007
【図７】
0003897200.tif 000008
【図８】
0003897200.tif 000009
【図９】
0003897200.tif 000010
【図１０】
0003897200.tif 000011